(57)【要約】【課題】放熱運転時に於ける熱源機出口温度を熱交換器入口の設定温度に対し到達前の高温または低温への設定を可能とすることで、熱源機のＣＯＰを向上すると共に蓄熱槽の熱バッファ機能により熱負荷への供給温度の安定性と制御性を向上した潜熱利用蓄熱装置を提供する。【解決手段】冷熱蓄熱モード時では、冷熱源機２０を出た伝熱媒体を循環管路２５ａから蓄熱槽１に通して蓄熱した後循環管路２５ｂの下流側に合流し、再び冷熱源機２０に戻るように構成し、冷熱放熱モード時では、冷熱源機２０下流の循環管路２５ａから蓄熱槽１を通した後、冷熱放熱モード時伝熱管２３ｂ’を介して再び循環管路２５ａ下流側に合流し、冷熱使用機器２６側の熱交換器２８あるいはバイパス管２７を通した後、冷熱源機２０側あるいはその上、下流間のバイパス管２４を通して再び蓄熱槽１に戻るように構成し、上記冷熱源機２０の下流側に蓄熱槽１を直列に配設した。【選択図】    図２
2004333014.tif 000002
【特許請求の範囲】
【請求項１】
熱源機、蓄熱槽、熱使用機器側に伝熱媒体を循環する循環管路を備え、夜間の蓄熱モード時に熱源機と蓄熱槽の間で伝熱媒体を循環して生成熱を蓄熱し、昼間の放熱モード時に蓄熱槽と熱使用機器側との間で伝熱媒体を循環して蓄熱槽に蓄えた熱量を熱使用機器側の熱交換器に放熱するようにした潜熱利用蓄熱装置に於いて、
蓄熱動作をするための冷熱蓄熱モード時に於いては、冷熱源機２０を出た伝熱媒体を循環管路２５ａから分岐した冷熱蓄熱モード時伝熱管２３ｂを介して蓄熱槽１に通して蓄熱し、該蓄熱槽１を出た伝熱媒体を冷熱蓄熱モード時伝熱管２３ｃを介して循環管路２５ｂの下流側に合流したのち、ポンプＰによって再び冷熱源機２０に戻るように構成し、放熱動作をするための冷熱放熱モード時に於いては、上記冷熱源機２０下流の循環管路２５ａから分岐した冷熱放熱モード時伝熱管２３ａを介して蓄熱槽１を通し、該蓄熱槽１を出た伝熱媒体を冷熱放熱モード時伝熱管２３ｂ’を介して再び上記循環管路２５ａの下流側に合流したのち、冷熱使用機器２６側の熱交換器２８あるいは該熱交換器２８の上、下流の間に接続されたバイパス管２７を通し、該熱交換器２８から上記循環管路２５ｂに出た伝熱媒体をポンプＰによって上記冷熱源機２０側あるいはその上、下流間に接続されたバイパス管２４を通し、循環管路２５ａの下流側から分岐した蓄熱モード時伝熱管２３ａを介して再び蓄熱槽１に戻るように構成し、上記冷熱源機２０の下流側に蓄熱槽１を直列に配設したことを特徴とする潜熱利用蓄熱装置。
【請求項２】
冷熱放熱モード時に於ける冷熱源機２０出口側の温度設定値が、冷熱使用機器２６側の熱交換器２８入口側の温度設定値以上に設定されることを特徴とする請求項１に記載の潜熱利用蓄熱装置。
【請求項３】
熱源機、蓄熱槽、熱使用機器側に伝熱媒体を循環する循環管路を備え、夜間の蓄熱モード時に熱源機と蓄熱槽の間で伝熱媒体を循環して生成熱を蓄熱し、昼間の放熱モード時に蓄熱槽と熱使用機器側との間で伝熱媒体を循環して蓄熱槽に蓄えた熱量を熱使用機器側の熱交換器に放熱するようにした潜熱利用蓄熱装置に於いて、
蓄熱動作をするための温熱蓄熱モード時に於いては、温熱源機２０を出た伝熱媒体を循環管路２５ａから分岐した温熱蓄熱モード時伝熱管２３ｂを介して蓄熱槽１に通して蓄熱し、該蓄熱槽１を出た伝熱媒体を温熱蓄熱モード時伝熱管２３ｃを介して循環管路２５ｂの下流側に合流したのち、ポンプＰによって再び温熱源機２０に戻るように構成し、放熱動作をするための温熱放熱モード時に於いては、上記温熱源機２０下流の循環管路２５ａから分岐した温熱放熱モード時伝熱管２３ａを介して蓄熱槽１を通し、該蓄熱槽１を出た伝熱媒体を温熱放熱モード時伝熱管２３ｂ’を介して再び上記循環管路２５ａの下流側に合流したのち、温熱使用機器２６側の熱交換器２８あるいは該熱交換器２８の上、下流の間に接続されたバイパス管２７を通し、該熱交換器２８から上記循環管路２５ｂに出た伝熱媒体をポンプＰによって上記温熱源機２０側あるいはその上、下流間に接続されたバイパス管２４を通し、循環管路２５ａの下流側から分岐した蓄熱モード時伝熱管２３ａを介して再び蓄熱槽１に戻るように構成し、上記温熱源機２０の下流側に蓄熱槽１を直列に配設したことを特徴とする潜熱利用蓄熱装置。
【請求項４】
温熱放熱モード時に於ける温熱源機２０出口側の温度設定値が、温熱使用機器２６側の熱交換器２８入口側の温度設定値以下に設定されることを特徴とする請求項３に記載の潜熱利用蓄熱装置。
【発明の詳細な説明】
【０００１】
【発明の属する技術分野】
本発明は、例えば建屋内を冷、暖房する空調システムや冷却、加熱を必要とするプロセスに適用し、電気料金の割安な夜間電力で熱源機を運転して蓄熱し、昼間の時間帯に放熱するように空調機器を運転するようにした潜熱利用蓄熱装置に関する。
【０００２】
【従来の技術】
この種の潜熱利用蓄熱装置として、蓄熱槽をヒートポンプなどの熱発生機器に接続し、空調機器が運転休止している深夜の時間帯には安価な深夜電力を使用して熱発生機器を運転し、この熱発生機器で生成した熱量を伝熱媒体を介して蓄熱槽に蓄熱するとともに、昼間の時間帯には蓄熱槽を放熱モードにしてこの蓄熱槽と空調機器との間で伝熱媒体を循環させて空調機器を運転するようにした蓄熱装置が知られている（特許文献１参照）。
【０００３】
ところで、このような従来の蓄熱装置は、図６に示すように、蓄熱槽３０１の下流側には、二方弁３０２，３０３およびポンプ３０４を介して蓄熱・空調用熱源機であるブラインヒートポンプ装置３０５が直列に配管接続され、ポンプ３０４の運転により循環するブラインを、冷房時に冷却し、暖房時に加熱する。
【０００４】
蓄熱槽３０１には、三方弁３１２、二方弁３０６，３０７、およびポンプ３０９を介して第１熱交換器３１０の熱源側コイル３１０ａが配管接続され、三方弁３１２を介して放熱温度調節用のバイパス配管３１４が接続されている。
【０００５】
三方弁３１２、バイパス配管３１４、温度センサ３１１およびコントローラ３１３の働きにより、蓄熱槽３０１からの放熱温度が調節されるようになっており、ポンプ３０４およびブラインヒートポンプ装置３０５と並列に、二方弁３１５，３１６を介して第２熱交換器３１７の熱源側コイル３１７ａが配管接続されている。
【０００６】
蓄熱槽３０１の流出部には、三方弁３１２、二方弁３０３、ポンプ３０４を介してヒートポンプ装置３０５の吸込口が接続され、ブラインヒートポンプ装置３０５の吐出口には、二方弁３１５、熱源側コイル３１７ａ、及び二方弁３０６を介して蓄熱槽３０１の流入部が接続された構成となっている。
【０００７】
【特許文献１】
特開平１０−６１９９６号公報（段落００２４〜段落００２９、図１）
【０００８】
【発明が解決しようとする課題】
しかしながら、上記のような従来の蓄熱装置では、熱源機と蓄熱槽とが熱交換器に対し並列に配設されていることから、熱源機は、蓄熱槽の温度と同等の温度レベルの出力が必要となり、これが熱交換器１次側の温度となる熱負荷に必要な温度レベルを得るためには、熱源機のＣＯＰ（エネルギー利用効率）が低い運転となる問題を有していた。
【０００９】
また、熱源機と蓄熱槽がそれぞれ熱交換器に対して独立していることから、熱源機のＯＮ／ＯＦＦ時の温度変動が熱源機に直接影響するため、運転効率が低くなる原因となるだけでなく、それぞれに循環ポンプが必要となりエネルギーロスの要因となっていた。
【００１０】
従って、本発明の目的とする所は、放熱運転時に於ける熱源機出口温度を熱交換器入口の設定温度に対し到達前の高温または低温への設定を可能とすることで、熱源機のＣＯＰを向上すると共に蓄熱槽の熱バッファ機能により熱負荷への供給温度の安定性と制御性を向上した潜熱利用蓄熱装置を提供することである。
【００１１】
【課題を解決する為の手段】
上記目的を達成するために、本発明は次の技術的手段を有する。即ち、実施の形態に対応する添付図面に使用した符号を用いて説明すると、熱源機、蓄熱槽、熱使用機器側に伝熱媒体を循環する循環管路を備え、夜間の蓄熱モード時に熱源機と蓄熱槽の間で伝熱媒体を循環して生成熱を蓄熱し、昼間の放熱モード時に蓄熱槽と熱使用機器側との間で伝熱媒体を循環して蓄熱槽に蓄えた熱量を熱使用機器側の熱交換器に放熱するようにした潜熱利用蓄熱装置に於いて、蓄熱動作をするための冷熱蓄熱モード時に於いては、冷熱源機２０を出た伝熱媒体を循環管路２５ａから分岐した冷熱蓄熱モード時伝熱管２３ｂを介して蓄熱槽１に通して蓄熱し、該蓄熱槽１を出た伝熱媒体を冷熱蓄熱モード時伝熱管２３ｃを介して循環管路２５ｂの下流側に合流したのち、ポンプＰによって再び冷熱源機２０に戻るように構成し、放熱動作をするための冷熱放熱モード時に於いては、上記冷熱源機２０下流の循環管路２５ａから分岐した冷熱放熱モード時伝熱管２３ａを介して蓄熱槽１を通し、該蓄熱槽１を出た伝熱媒体を冷熱放熱モード時伝熱管２３ｂ’を介して再び上記循環管路２５ａの下流側に合流したのち、冷熱使用機器２６側の熱交換器２８あるいは該熱交換器２８の上、下流の間に接続されたバイパス管２７を通し、該熱交換器２８から上記循環管路２５ｂに出た伝熱媒体をポンプＰによって上記冷熱源機２０側あるいはその上、下流間に接続されたバイパス管２４を通し、循環管路２５ａの下流側から分岐した蓄熱モード時伝熱管２３ａを介して再び蓄熱槽１に戻るように構成し、上記冷熱源機２０の下流側に蓄熱槽１を直列に配設したことを特徴とする潜熱利用蓄熱装置である。
上記によれば、冷熱蓄熱モード時では、冷熱源機２０から出た低温の伝熱媒体は、循環管路２５ａから分岐した冷熱蓄熱モード時伝熱管２３ｂを介して蓄熱槽１に通して蓄熱し、該蓄熱槽１を出た伝熱媒体は冷熱蓄熱モード時伝熱管２３ｃを介して循環管路２５ｂの下流側に合流したのち、ポンプＰによって再び冷熱源機２０に戻る。また、冷熱放熱モード時では、冷熱源機２０下流の循環管路２５ａから分岐した冷熱放熱モード時伝熱管２３ａを介して蓄熱槽１を通し、蓄熱槽１を出た伝熱媒体は、冷熱放熱モード時伝熱管２３ｂ’を介して再び上記循環管路２５ａの下流側に合流し、冷熱使用機器２６側の熱交換器２８あるいは該熱交換器２８の上、下流間に接続されたバイパス管２７を通し、該熱交換器２８から上記循環管路２５ｂに出た伝熱媒体をポンプＰによって上記冷熱源機２０側あるいはその上、下流間に接続されたバイパス管２４を通して、循環管路２５ａ下流側から分岐した蓄熱モード時伝熱管２３ａを介して再び蓄熱槽１に戻る。
従って、熱交換器２８側から下流側に冷熱源機２０、蓄熱槽１の順に直列に配設することで、冷熱放熱運転時に於ける冷熱源機２０の出口温度を熱交換器入口の設定温度以上に設定することが可能となり、冷熱源機２０のＣＯＰを向上することが可能となる。また、上記のように直列配置となることで、伝熱媒体を循環するポンプを１台で対応することができる。
【００１２】
また本発明は、冷熱放熱モード時に於ける冷熱源機２０出口側の温度設定値が、冷熱使用機器２６側の熱交換器２８入口側の温度設定値以上に設定されることを特徴とする潜熱利用蓄熱装置である。
従って、蓄熱槽１が熱バッファ機能を備えることにより冷熱源機２０のＯＮ／ＯＦＦ作動による冷熱源機２０出口温度の変動を吸収することができ、熱負荷への供給温度の安定性と制御性が向上する。
【００１３】
また本発明は、熱源機、蓄熱槽、熱使用機器側に伝熱媒体を循環する循環管路を備え、夜間の蓄熱モード時に熱源機と蓄熱槽の間で伝熱媒体を循環して生成熱を蓄熱し、昼間の放熱モード時に蓄熱槽と熱使用機器側との間で伝熱媒体を循環して蓄熱槽に蓄えた熱量を熱使用機器側の熱交換器に放熱するようにした潜熱利用蓄熱装置に於いて、蓄熱動作をするための温熱蓄熱モード時に於いては、温熱源機２０を出た伝熱媒体を循環管路２５ａから分岐した温熱蓄熱モード時伝熱管２３ｂを介して蓄熱槽１に通して蓄熱し、該蓄熱槽１を出た伝熱媒体を温熱蓄熱モード時伝熱管２３ｃを介して循環管路２５ｂの下流側に合流したのち、ポンプＰよって再び温熱源機２０に戻るように構成し、放熱動作をするための温熱放熱モード時に於いては、上記温熱源機２０下流の循環管路２５ａから分岐した温熱放熱モード時伝熱管２３ａを介して蓄熱槽１を通し、該蓄熱槽１を出た伝熱媒体を温熱放熱モード時伝熱管２３ｂ’を介して再び上記循環管路２５ａの下流側に合流したのち、温熱使用機器２６側の熱交換器２８あるいは該熱交換器２８の上、下流の間に接続されたバイパス管２７を通し、該熱交換器２８から上記循環管路２５ｂに出た伝熱媒体をポンプＰによって上記温熱源機２０側あるいはその上、下流間に接続されたバイパス管２４を通し、循環管路２５ａの下流側から分岐した蓄熱モード時伝熱管２３ｂを介して再び蓄熱槽１に戻るように構成し、上記温熱源機２０の下流側に蓄熱槽１を直列に配設したことを特徴とする潜熱利用蓄熱装置である。
上記によれば、温熱蓄熱モード時では、温熱源機２０から出た高温の伝熱媒体は、循環管路２５ａから分岐した温熱蓄熱モード時伝熱管２３ｂを介して蓄熱槽１に通して蓄熱し、該蓄熱槽１を出た伝熱媒体は温熱蓄熱モード時伝熱管２３ｃを介して循環管路２５ｂの下流側に合流したのち、ポンプＰによって再び温熱源機２０に戻る。また、温熱放熱モード時では、温熱源機２０下流の循環管路２５ａから分岐した温熱放熱モード時伝熱管２３ａを介して蓄熱槽１を通し、蓄熱槽１を出た伝熱媒体は、温熱放熱モード時伝熱管２３ｂ’を介して再び上記循環管路２５ａの下流側に合流し、温熱使用機器２６側の熱交換器２８あるいは該熱交換器２８の上、下流の間に接続されたバイパス管２７を通し、上記熱交換器２８から循環管路２５ｂに出た伝熱媒体はポンプＰによって温熱源機２０を通して循環管路２５ａ下流側から分岐した蓄熱モード時伝熱管２３ｂを介して再び蓄熱槽１に戻る。
従って、熱交換器２８側から下流側に温熱源機２０、蓄熱槽１の順に直列に配設することで、温熱放熱運転時に於ける温熱源機２０の出口温度を熱交換器２８入口の設定温度以下に設定することが可能となり、温熱源機２０のＣＯＰを向上することが可能となる。また、上記のように直列配置となることで、伝熱媒体を循環するポンプＰを１台で対応することができる。
【００１４】
また本発明は、温熱放熱モード時に於ける温熱源機２０出口側の温度設定値が、温熱使用機器２６側の熱交換器２８入口側の温度設定値以下に設定されることを特徴とする潜熱利用蓄熱装置である。
従って、蓄熱槽１が熱バッファ機能を備えることにより温熱源機２０のＯＮ／ＯＦＦ作動による温熱源機２０出口温度の変動を吸収することができ、熱負荷への供給温度の安定性と制御性が向上する。
【００１５】
【発明の実施の形態】
以下、本発明の実施形態を添付図面に基づき詳細に説明する。図１は本発明に係る蓄熱槽の実施例であって、（Ａ）、（Ｂ）は円筒形胴体の蓄熱槽の一部断面を示す側面図、（Ｃ）は矩形胴体の蓄熱槽の斜視図である。
【００１６】
以下この実施例では熱使用機器として、冷房，冷凍装置に適用した例をとって説明する。
【００１７】
図１（Ａ）〜（Ｃ）における符号１は、本発明の蓄熱装置として使用される蓄熱槽の実施例であって、この蓄熱槽１は、円筒形あるいは矩形の胴体２と、円筒形の場合では上下あるいは左右両端に取着された胴体蓋４，５とを有している。
【００１８】
円筒形の場合では、上下あるいは左右両端の胴体蓋４，５中央には夫々上下の接続口６，８が設けられており、これら上下の接続口６，８には図示しない伝熱管が接続されている。上記胴体蓋４，５の内部には、上下の接続口６，８に対向して配設された伝熱媒体の分散器１０，１２が設置されており、これら分散器１０，１２には、胴体内部１６に伝熱媒体を拡散流通させる多数の小孔が形成されている。
【００１９】
上記分散器１０，１２によって仕切られる胴体２の内部には、周知の小球状蓄熱体１８（例えば特公平５−８１８３２号公報）が多数、密に充填されており、これら小球状蓄熱体１８は、相変化温度で液相から固相に変わる時に固化の潜熱として冷熱を蓄熱し、固相から液相に相変化する時に先に蓄熱した冷熱を放出する蓄熱材を球状のシェル内に封入したものであり、好適な蓄熱材としては、例えば、Ｈ２Ｏ（水）に発核剤を微量添加した組成物を主液としている。
【００２０】
勿論、温熱を対象とする場合には、小球状蓄熱体１８内に封入された蓄熱媒材は、相変化温度で融解した時に蓄熱し、凝固した時に潜熱を放出する。
【００２１】
次に、図２〜図５に従い本発明の好適な実施形態に付き詳述する。図２は本発明の冷熱／温熱源機の単独運転モード時における説明図、図３は冷熱／温熱蓄熱モード時に於ける説明図、図４は冷熱／温熱放熱運転モード時における説明図であり、図５は蓄熱装置の放熱ピーク時に冷熱／温熱機を併用運転している放熱運転モード時の説明図である。
【００２２】
先ず、図２〜図５に示される共通の装置に付き説明する。以下に説明する全図において、開閉弁のバルブ記号は黒塗りが閉弁状態、白塗りが開弁状態、また半分黒塗り、半分白塗りが閉弁状態、開弁状態の何れかのケースもあり得ることを示している。図２〜図５に示す２０は冷熱源機であって、２２は冷熱を発生する冷凍機などの冷凍装置を示し、２８は冷熱使用機器２６側の熱交換器である。
【００２３】
図２に示すように、冷熱源機２０側の冷凍装置２２に接続された循環管路２５ａの下流側に２つの分岐点Ｂ１，Ｂ２が配設されており、上流分岐点Ｂ１からは蓄熱槽１に接続すべく開閉弁Ｖ４を備えた後述する冷熱放熱モード時伝熱管２３ａが分岐されると共に、下流分岐点Ｂ２からは蓄熱槽１に接続すべく、互いに共用となる冷熱蓄熱モード時伝熱管２３ｂ、冷熱放熱モード時伝熱管２３ｂ’が分岐され、上、下流分岐点Ｂ１，Ｂ２の間の循環管路２５ａには開閉弁Ｖ３が配置されている。
【００２４】
下流分岐点Ｂ２の循環管路２５ａ下流側には、冷熱使用機器２６側の熱交換器２８に接続されていて、この熱交換器２８の上流と下流の間にバイパス管２７が接続されている。
【００２５】
更に、熱交換器２８の下流は循環管路２５ｂに接続されており、循環管路２５ｂ下流側の分岐点Ｂ３には蓄熱槽１に接続され開閉弁Ｖ８を備えた冷熱蓄熱モード時伝熱管２３ｃが接続され、分岐点Ｂ３下流側の循環管路２５ｂには冷熱源機２０側の冷凍装置２２が接続されており、冷凍装置２２の上流と下流の間にはバイパス管２４が接続されている。
【００２６】
冷熱使用機器２６は、例えば冷房装置などの空調機であって、この空調機は、熱交換器２８で冷やされた伝熱流体をポンプＰ１によってＯＵＴ側からＩＮ側に循環させる過程で放冷されるようになっている。
【００２７】
そして、冷凍装置２２、冷熱使用機器２６側の熱交換器２８には、開閉弁Ｖ２，Ｖ５を備えたバイパス管２４，２７が接続され、冷凍装置２２、冷熱使用機器２６の上流側にはそれぞれ開閉弁Ｖ１，Ｖ６が設けられている。
【００２８】
次に、上記のように構成された一連の動作に付き図２〜図５を参照して説明する。
【００２９】
図２は冷熱源機側冷凍装置の単独運転モードを示している。この単独運転モードに於いては、冷熱源機２０の冷凍装置２２から循環管路２５ａに出た伝熱媒体は、図中太線で示すようにポンプＰにより、循環管路２５ａの２つの上流ないし下流分岐点Ｂ１，Ｂ２間の開弁された開閉弁Ｖ３を介して冷熱使用機器側の熱交換器あるいは該熱交換器の上流と下流の間に接続されたバイパス管を通し、上記熱交換器から循環管路に出た伝熱媒体は開閉弁Ｖ７，Ｖ１を通して再び冷凍装置２２に戻る。
【００３０】
図３は、冷熱蓄熱運転モードを示している。この冷熱蓄熱運転モードに於いては、冷熱源機２０の冷凍装置２２から出た低温の伝熱媒体は、図中太線で示すように循環管路２５ａ下流の開閉弁Ｖ３を介して下流分岐点Ｂ２から分岐した冷熱蓄熱モード時伝熱管２３ｂを介して蓄熱槽１に通して蓄熱し、この蓄熱槽１を出た伝熱媒体は、冷熱蓄熱モード時伝熱管２３ｃを介して循環管路２５ｂの下流側に合流したのち、ポンプＰによって開弁された開閉弁Ｖ１を通り再び冷熱源機に戻る。
【００３１】
図４は、冷熱放熱運転モードを示している。この冷熱放熱運転モードに於いては、冷熱源機２０の冷凍装置２２を出た伝熱媒体は、図中太線で示すように下流の循環管路２５ａに於ける上流分岐点Ｂ１から分岐した冷熱放熱モード時伝熱管２３ａの開閉弁Ｖ４を介して蓄熱槽１を通り、この蓄熱槽１を出た伝熱媒体は、冷熱放熱モード時伝熱管２３ｂ’から下流分岐点Ｂ２を介して再び循環管路２５ａの下流側に合流し、冷熱使用機器２６側の開閉弁Ｖ６を通して熱交換器２８、あるいはこの熱交換器２８の上流と下流の間の開閉弁Ｖ５を介してバイパス管２７を通り、熱交換器２８から出た伝熱媒体はポンプＰによって循環管路２５ｂ下流側の開閉弁Ｖ７を介して冷凍装置２２側あるいはその上流と下流の間に接続されたバイパス管２４を通過し、循環管路２５ａ下流側の上流分岐点Ｂ１から分岐した冷熱放熱モード時伝熱管２３ａの開閉弁Ｖ４を介して再び蓄熱槽１に戻る。
【００３２】
図５は、蓄熱装置の放熱ピーク時に冷熱機を併用運転している冷熱放熱運転モードを示している。
【００３３】
本実施例の場合は、上記の冷熱放熱運転モードに加え冷熱機を併用運転した運転モードであって、重複する冷熱放熱運転モードの説明は省略するが、熱交換器２８から循環管路２５ｂに出た伝熱媒体は、図中太線で示すように開放された開閉弁Ｖ１を介して冷熱源機２０側の冷凍装置２２を通過する過程で加熱されたのち、循環管路２５ａの開閉弁Ｖ３を通過すると共に蓄熱槽１を通り再び循環管路２５ａに合流し熱交換器２８に循環する。
【００３４】
従って、上記の実施形態によれば、熱交換器２８側から下流側に冷熱源機２０側の冷凍装置２２、蓄熱槽１の順に直列に配設することで、冷熱放熱運転時に於ける冷凍装置２２の出口温度を熱交換器２８入口の設定温度以上に設定することが可能となり、冷凍装置２２のＣＯＰを向上することが可能となる。また、上記のように直列配置となることで、伝熱媒体を循環するポンプＰを１台で対応することができる。
【００３５】
また、冷熱放熱モード時に於ける冷凍装置２２出口側の温度設定値が、冷熱使用機器２６側の熱交換器２８入口側の温度設定値以上に設定されることで、蓄熱槽１が熱バッファ機能を備えることにより冷凍装置２２のＯＮ／ＯＦＦ作動による冷凍装置２２出口温度の変動を吸収することができ、熱負荷への供給温度の安定性と制御性が向上する。
【００３６】
上記の実施例においては、この装置を冷房、冷凍装置に適用した例を示し、熱使用機器における熱交換器へ冷熱を伝える場合を示したが、本発明の潜熱利用蓄熱装置は、この例に限定されることなく、他の冷熱利用装置にも適用できる他、熱使用機器を太陽熱装置や、暖房熱源供給装置として、そこから熱使用機器に於ける熱交換器へ温熱を伝えるような装置にも、この潜熱利用蓄熱装置を適用でき、蓄熱時には、蓄熱槽内に潜熱が蓄熱され、放熱時には熱使用機器の熱交換器へ温熱が放熱される。
【００３７】
勿論、温熱を対象とする場合には、小球状蓄熱体１８内に封入された蓄熱材は、相変化温度で融解した時に蓄熱し、凝固した時に潜熱を放出する。
【００３８】
【発明の効果】
以上詳述した如く、本発明によると次の様な効果を奏する。
【００３９】
即ち、請求項１及び請求項２によると、熱交換器側から下流側に冷熱源機、蓄熱槽の順に直列に配設することで、冷熱放熱運転時に於ける冷熱源機の出口温度を熱交換器入口の設定温度以上に設定することが可能となり、熱源機のＣＯＰを向上することが可能となる。また、上記のように直列配置となることで、伝熱媒体を循環するポンプを１台で対応することができる。
更に、蓄熱槽が熱バッファ機能を備えることにより冷熱源機のＯＮ／ＯＦＦ作動による冷熱源機出口温度の変動を吸収することができ、熱負荷への供給温度の安定性と制御性が向上する。
【００４０】
また請求項３及び請求項４によると、温熱放熱運転時に於ける温熱源機の出口温度を熱交換器入口の設定温度以下に設定することが可能となり、熱源機のＣＯＰを向上することが可能となる。また、上記のように直列配置となることで、伝熱媒体を循環するポンプを１台で対応することができる。
更に、蓄熱槽が熱バッファ機能を備えることにより温熱源機のＯＮ／ＯＦＦ作動による温熱源機出口温度の変動を吸収することができ、熱負荷への供給温度の安定性と制御性が向上する。
【図面の簡単な説明】
【図１】本発明の実施形態に係る蓄熱槽の実施例であって、（Ａ）、（Ｂ）は円筒形胴体の蓄熱槽の一部断面を示す側面図、（Ｃ）は矩形胴体の蓄熱槽の斜視図である。
【図２】本発明の冷熱／温熱源機の単独運転モード時における説明図である。
【図３】同じく、冷熱／温熱蓄熱モード時に於ける説明図である。
【図４】同じく、冷熱／温熱放熱運転モード時における説明図である。
【図５】同じく、蓄熱装置の放熱ピーク時に冷熱／温熱機を併用運転している放熱運転モード時の説明図である。
【図６】従来の蓄熱空調システム装置の説明図である。
【符号の説明】
１                      蓄熱槽
２                      胴体
４，５                  胴体蓋
６，８                  接続口
１６                    胴体内部
１８                    小球状蓄熱体
２０                    冷熱源機
１０，１２              分散器
２２                    冷凍装置
２３ａ                  冷熱放熱モード時伝熱管
２３ｂ，２３ｃ          冷熱蓄熱モード時伝熱管
２３ｂ’                冷熱放熱モード時伝熱管
２４                    バイパス管
２５ａ，２５ｂ          循環管路
２６                    冷熱使用機器
２７                    バイパス管
２８                    熱交換器
Ｂ１                    上流分岐点
Ｂ２                    下流分岐点
Ｂ３                    分岐点
Ｐ，Ｐ１                ポンプ
Ｖ１〜Ｖ８              開閉弁
【図１】
2004333014.tif 000003
【図２】
2004333014.tif 000004
【図３】
2004333014.tif 000005
【図４】
2004333014.tif 000006
【図５】
2004333014.tif 000007
【図６】
2004333014.tif 000008